(57)【特許請求の範囲】
【請求項１】
樹脂成形体からなる化粧材基材の互いに対向する両端部に沿って、その一方端部の基材表面と他方端部の基材裏面とにそれぞれ線状に表面凹溝部と裏面凹溝部を備え、１枚の化粧材の表面凹溝部と他の１枚の化粧材の裏面凹溝部とを組み合わせることにより、複数枚の化粧材を面状に組み付けて連結施工する化粧材であって、前記１枚の化粧材の外端凸部先端部における表面凹溝部側の内面と他の１枚の化粧材の外端凸部先端部における裏面凹溝部側の内面とにそれぞれ係合突起を備え、前記両内面に互いに密接するＳ字状嵌合面を備え、１枚の化粧材の表面凹溝部内に、その上方より他の１枚の化粧材の裏面凹溝部を構成する外端凸部を嵌合し、且つ前記１枚の化粧材の表面凹溝部を構成する外端凸部を前記他の１枚の化粧材の裏面凹溝部内に密に差し込み嵌合し、且つ前記係合突起により係止して、且つ前記１枚の化粧材の表面凹溝部の外端凸部側の内面と対向する内面と、該内面に対向する前記他の１枚の化粧材の外端凸部の外面との互いに対向する内面に隙間を有するように、複数枚の前記化粧材を面状に組み付けて連結施工可能にしたことを特徴とする化粧材。
【請求項２】
前記化粧材基材の厚さをｔ、基板表面及び裏面のそれぞれ凹溝部の底面厚さをｔ１、基板表面及び裏面のそれぞれ凹溝部を構成する外端凸部の高さをｈとしたとき、ｔ、ｔ１、ｈの関係が、
ｔ＝２ｔ１  ＋ｈ
であることを特徴とする請求項１記載の化粧材。
【請求項３】
前記化粧材基材の表面に化粧シートが積層している請求項１又は請求項２記載の化粧材。
【請求項４】
前記化粧材基材の表面に熱可塑性樹脂製の化粧シートが積層している請求項１又は請求項２記載の化粧材。
【発明の詳細な説明】
【技術分野】
【０００１】
本発明は床材、壁材、天井材等の建築内装材の表面材等に用いられる化粧材に関し、特に、施工し易い形状構造を備えた化粧材に関するものである。
【背景技術】
【０００２】
従来、上記各種用途の化粧材としては、合板やファイバーボード等の木質基材に、天然突き板や、紙または合成樹脂シートに印刷にて意匠を施した化粧紙または化粧シートなどを貼り合わせたものが多く使われている。
【０００３】
これら化粧材を、床材、壁材、天井材等の建築内装材の表面材として施工使用する場合は、床面（床構造材面）や壁面（壁構造材面）や天井面（天井構造材面）に接するようにして、複数枚の化粧材を１枚ずつ平らに並べ、それら化粧材の端部を順次互いに嵌合して連結固定して敷き詰めるようにしている。
【０００４】
このような化粧材の従来の連結施工による敷設方式においては、図５（ａ）の側面図に示すように、適宜基材１により形成した化粧材Ｐの一方端部に凹状部１ａを備え、それと対向する他方端部に、前記凹状部１ａ内に嵌合可能な凸状部１ｂをそれぞれ備えていて、図５（ｂ）の側面図に示すように、それぞれ化粧材Ｐの一方端部の凹状部１ａと他方端部の凸状部１ｂとを互いに側方から順次横方向に矢印方向に向かって突き合わせて凹状部１ａと凸状部１ｂとを嵌合することにより連結固定して敷き詰めるようにしていた。
【０００５】
そのために複数枚の化粧材を嵌合にて連結施工する際は、図５（ｂ）に示すように化粧材を互いに横方向から凸状部１ｂと凹状部１ａとを矢印方向に突き合わせ、図５（ｃ）に示すように、凸状部１ｂを凹状部１ａ内に順次挿入して嵌合接続する必要があり、また嵌合部にはロック機構が無いため、凸状部１ｂと凹状部１ａとは一般的に密に嵌合するように作られており、横方向から叩いて挿入しなければならないことが多く、施工に手間と時間を要していた。さらに、施工後に緩まないように固定するために嵌合部に釘打ちをして固定する必要があった。
【０００６】
また、施工後の年月経過により、化粧材や敷設面の構造材などに傷が付いたり汚れたりした場合には、化粧材の一部を外して交換する必要が生じるが、従来は化粧材Ｐの連結嵌合部の凹凸が床面など敷設構造面に対して水平に配置されているため外し難く、嵌合部を上に持ち上げて外すことはできず、嵌合部を鋸等により切断しなければ、一部分の化粧材だけを取り外して交換することはできなかった。また、新たに交換する化粧材も同様に嵌合部を切断しなければ、化粧材を取り外した部分に嵌め込み敷設することができず、さらに、釘打ちにて固定している個所は釘を抜く作業が必要であった。
【特許文献１】実開平５−６６１３９号公報
【発明の開示】
【発明が解決しようとする課題】
【０００７】
本発明の課題とするところは、化粧材（又は化粧板）を、床面、壁面、天井面等の施工面に対して連結施工により敷設して組み付けや取り付け施工を行う際に、比較的熟練を必要とせずに連結施工し易い形状構造を備えた化粧材を提供することにある。
【課題を解決するための手段】
【０００８】
請求項１に記載の発明は、樹脂成形体からなる化粧材基材の互いに対向する両端部に沿って、その一方端部の基材表面と他方端部の基材裏面とにそれぞれ線状に表面凹溝部と裏面凹溝部を備え、１枚の化粧材の表面凹溝部と他の１枚の化粧材の裏面凹溝部とを組み合わせることにより、複数枚の化粧材を面状に組み付けて連結施工する化粧材であって、前記１枚の化粧材の外端凸部先端部における表面凹溝部側の内面と他の１枚の化粧材の外端凸部先端部における裏面凹溝部側の内面とにそれぞれ係合突起を備え、前記両内面に互いに密接するＳ字状嵌合面を備え、１枚の化粧材の表面凹溝部内に、その上方より他の１枚の化粧材の裏面凹溝部を構成する外端凸部を嵌合し、且つ前記１枚の化粧材の表面凹溝部を構成する外端凸部を前記他の１枚の化粧材の裏面凹溝部内に密に差し込み嵌合し、且つ前記係合突起により係止して、且つ前記１枚の化粧材の表面凹溝部の外端凸部側の内面と対向する内面と、該内面に対向する前記他の１枚の化粧材の外端凸部の外面との互いに対向する内面に隙間を有するように、複数枚の前記化粧材を面状に組み付けて連結施工可能にしたことを特徴とする化粧材である。
【００１０】
請求項２に記載の発明は、前記化粧材基材の厚さをｔ、基板表面及び裏面のそれぞれ凹溝部の底面厚さをｔ１、基板表面及び裏面のそれぞれ凹溝部を構成する外端凸部の高さをｈとしたとき、ｔ、ｔ１、ｈの関係が、
ｔ＝２ｔ１  ＋ｈ
であることを特徴とする請求項１記載の化粧材である。
【００１１】
請求項３に記載の発明は、前記化粧材基材の表面に化粧シートが積層している請求項１又は請求項２記載の化粧材である。
【００１２】
請求項４に記載の発明は、前記化粧材基材の表面に熱可塑性樹脂製の化粧シートが積層している請求項１又は請求項２記載の化粧材である。
【発明の効果】
【００１３】
請求項１に記載の発明は、樹脂成形体からなる化粧材基材の互いに対向する両端部に沿って、その一方端部の基材表面と他方端部の基材裏面とにそれぞれ線状に表面凹溝部と裏面凹溝部を備え、１枚の化粧材の表面凹溝部と他の１枚の化粧材の裏面凹溝部とを組み合わせることにより、複数枚の化粧材を面状に組み付けて連結施工する化粧材であって、前記１枚の化粧材の外端凸部先端部における表面凹溝部側の内面と他の１枚の化粧材の外端凸部先端部における裏面凹溝部側の内面とにそれぞれ係合突起を備え、１枚の化粧材の表面凹溝部内に、その上方より他の１枚の化粧材の裏面凹溝部を構成する外端凸部を嵌合し、且つ前記１枚の化粧材の表面凹溝部を構成する外端凸部を前記他の１枚の化粧材の裏面凹溝部内に密に差し込み嵌合し、且つ前記係合突起により係止して、且つ前記１枚の化粧材の表面凹溝部の外端凸部側の内面と対向する内面と、該内面に対向する前記他の１枚の化粧材の外端凸部の外面との互いに対向する内面に隙間を有するように、複数枚の前記化粧材を面状に組み付けて連結施工可能にしたことを特徴とする化粧材である。
本発明の化粧材は、１枚の化粧材（又は化粧板）の表面凹溝部内に、その上方より他の１枚の化粧材の裏面凹溝部を構成する外端凸部を嵌合でき、且つ前記１枚の化粧材の表面凹溝部を構成する外端凸部を、前記他の１枚の化粧材の裏面凹溝部内に密に差し込み嵌合して、且つ前記１枚の化粧材の外端凸部先端部における表面凹溝部側の内面と他の１枚の化粧材の外端凸部先端部における裏面凹溝部側の内面とにそれぞれ備えた係合突起により係止して連結でき、このようなジョイント形状の工夫により、床材をはじめ壁材、天井材などの内装施工性や施工能率を大幅に改善できる効果がある。
【００１４】
このように、本発明の化粧材は、その端部連結のための表裏の凹溝部と外端凸部との凹凸嵌合方向を、敷設面に対して垂直とした構造であるため、施工する際は、既に敷設面に並べた化粧材の側端嵌合部上に、次の化粧材の側端嵌合部を上から嵌め込むだけで順次施工でき、施工性や施工能率を大幅に改善できる効果がある。
【００１５】
また、本発明の化粧材は、凹凸嵌合方向が敷設面に対して垂直な構造であるため、施工後の年月経過により化粧材や敷設面の構造材などに傷が付いたり汚れたりした場合には、敷設されている化粧材の一部を簡単に外して交換でき、化粧材端部の隙間にヘラ等を差し入れて化粧材端部を持ち上げることにより嵌合を解除でき、交換したい化粧材だけを簡単に取り外して取り替えることができ、また、新たに交換する化粧材もその端部を上方から他の化粧材の端部に押し付けるだけで容易に嵌合連結することができ、施工性や施工能率を大幅に改善できる効果がある。
【００１６】
また、本発明の化粧材の嵌合部は、凹凸形状、厚みが工夫され、日常生活の使用では簡単には外れないように係合突起が設けられ、ロックできる構造になっているため、従来のような釘打ちによる固定は不要になり、施工性や施工能率を大幅に改善できる効果がある。
【００１７】
請求項２に記載の発明は、請求項２に記載の発明は、請求項１記載の化粧材であって、前記１枚の化粧材の外端凸部先端部の表面凹溝部側の内面と他の１枚の化粧材の外端凸部先端部の裏面凹溝部側の内面のそれぞれ前記係合突起を備え、前記両内面に互いに密接するＳ字状嵌合面を備えることを特徴とする化粧材である。請求項２に係る化粧材は、係合突起面の断面形状は、互いに密接するＳ字形状の係合面を備えている。凹凸嵌合方式による係合突起面のこの断面形状は、少なくとも、外力を加えて切り離そうとすれば切り離し可能ではあるが、簡単には連結保持が解除されない状態とすることができる。
【００１８】
請求項３に記載の発明は、請求項３に記載の発明は、前記化粧材基材の厚さをｔ、基板表面及び裏面のそれぞれ凹溝部の底面厚さをｔ１  、基板表面及び裏面のそれぞれ凹溝部を構成する外端凸部の高さをｈとしたとき、ｔ、ｔ１  、ｈの関係が、
ｔ＝２ｔ１  ＋ｈ
であることを特徴とする請求項１又は請求項２記載の化粧材である。このよういに厚みを工夫することにより、日常生活の使用では簡単には外れないようにすることができる。
【００１９】
請求項４に記載の発明は、請求項４に記載の発明は、前記化粧材基材の表面に化粧シートが積層している請求項１乃至請求項３のいずれか１項記載の化粧材である。化粧材基材の表面に化粧シートを積層させることにより、化粧シートによる高意匠性を得ることができる。
【００２０】
請求項５に記載の発明は、請求項５に記載の発明は、前記化粧材基材の表面に熱可塑性樹脂製の化粧シートが積層している請求項１乃至請求項３のいずれか１項記載の化粧材である。化粧材基材の表面に熱可塑性樹脂性の化粧シートを積層させることにより、高意匠であるだけでなく、安価で加工性に優れた化粧材やリサイクル可能な化粧材などを得ることができる。
【発明を実施するための最良の形態】
【００２１】
以下、本発明の実施の形態を図面に基づいて説明する。
【００２２】
本発明の請求項１に係る化粧材（又は化粧板）の実施の形態を、図１（ａ）〜（ｂ）に示す側面図に従って以下に詳細に説明すれば、図１（ａ）に示すように化粧材Ｐは、化粧材用の基材１の互いに対向する両端部に沿って、その一方端部の基材表面に線状の表面凹溝部２が形成され、他方端部の基材裏面に線状の裏面凹溝部４が形成されている。
【００２３】
板状の前記基材１の一方端部に沿って形成された前記表面凹溝部２は、その一方端部の端縁に、上向きの外端凸部３を形成することにより構成されている。
【００２４】
また、板状の前記基材１の他方端縁に沿って形成された前記裏面凹溝部４は、その他方端部の端縁に、下向きの外端凸部５を形成することにより構成されている。
【００２５】
この化粧材Ｐは、１枚の化粧材Ｐを構成する基材１の表面凹溝部２と、他の１枚の化粧材を構成する基材１の裏面凹溝部４とを組み合わせることにより、２枚乃至複数枚の化粧材Ｐを順次、面状に組み付けて連結施工するものである。
【００２６】
図１（ｂ）は、２枚乃至複数枚の化粧材Ｐを順次、面状に組み付けて連結施工した化粧材の側面図、図２は、その連結部分の拡大側面図であり、前記１枚の化粧材の外端凸部３の先端部における表面凹溝部２側の内面と、他の１枚の化粧材の外端凸部５の先端部における裏面凹溝部４側の内面とには、それぞれ互いに凹凸嵌合方式にて係合する係合突起３ａ、５ａを備えている。
【００２７】
図１（ｂ）は、２枚乃至複数枚の化粧材Ｐを順次、面状に組み付けて連結施工した化粧材の側面図、図２は、その連結部分の拡大側面図であり、１枚の化粧材Ｐの基材１の一端部にある表面凹溝部２内に、その上方より下方に向かって矢印方向に、他の（別の）１枚の化粧材Ｐの基材１の裏面凹溝部４を構成する外端凸部５が順次嵌合されるようになっている。
【００２８】
そして、前記他の（別の）１枚の化粧材Ｐの基材１の裏面凹溝部４内には、その下方より、前記１枚の化粧材Ｐの基材１の表面凹溝部２を構成する外端凸部３が差し込み嵌合される。
【００２９】
そして、その際に、図２に示すように、外端凸部３の係合突起３ａと外端凸部５の係合突起５ａとは、互いに密に係合して連結が保持され、一旦連結した化粧材Ｐ、Ｐは、外力を加えて切り離そうとすれば切り離し可能ではあるが、簡単には連結保持が解除されない状態となる。
【００３０】
本発明の化粧材Ｐにおいては、図２に示すように、一方の化粧材Ｐの表面凹溝部２の外端凸部３側の内面と対向する内面と、その内面に対向する他方の化粧材Ｐの外端凸部５の外面との互いに対向する内面には、所定間隔ｄ２  を有する隙間６を備えている。
【００３１】
この隙間６の間隔ｄ２  は、
ｄ２  ＝０
としてノンクリアランスに設定してもよいが、一方の化粧材Ｐの一端部にある外端凸部５及び係合突起５ａを上方より、これと連結する他の化粧材Ｐの表面凹溝部２内に円滑に差し込み可能とするために、間隔ｄ２  （例えば０．３〜１．０ｍｍ程度）のクリアランスを設定しておくことが適当である。また、所定間隔ｄ２  の隙間６は、敷設後の化粧材の一部を交換等のために外す際に、その隙間６にヘラ等を差し入れて化粧材Ｐの端部を持ち上げて外す場合などに利用されたり、又は、ヘラ等で取り外せない場合にカッターの刃先を差し込んで、化粧材Ｐの連結部分を切断するために利用され、そのために、ある一定範囲で必要である。
【００３２】
例えば、前記係合突起３ａ、５ａのそれぞれ突出量をｄ１  としたとき、突出量ｄ１  と、隙間６の間隔ｄ２  との関係を、
ｄ１  ≒ｄ２  又は
ｄ１  ≦ｄ２
に設定して、所定のクリアランスを設けるようにすることが適当である。又は、上記のようにヘラ等、あるいはカッターの刃先等を差し入れることができる程度の所定のクリアランスを設けるようにすることが適当である。
【００３３】
本発明の化粧材Ｐにおいては、図２に示すように、それぞれ化粧材用基材１の表面には、例えば、厚さｔ２  の化粧シート１１がラミネートされており、その化粧シート１１が前記隙間６内面まで延設されてラミネートされている場合には、隙間６の間隔ｄ２  は、この化粧シート１１の厚さを考慮した数値となる。
【００３４】
本発明の請求項２に係る化粧材として、図２の側面図に示すように、例えば、化粧材Ｐの外端凸部３先端部の表面凹溝部２側の内面と、他の（別の）化粧材Ｐの外端凸部５先端部の裏面凹溝部４側の内面のそれぞれ前記係合突起３ａ、５ａの凹凸嵌合方式による係合突起面の断面形状は、互いに密接するＳ字形状状（又はＺ字形状など）の係合面を備えている。なお、上記化粧材Ｐの係合突起３ａ、５ａの凹凸嵌合方式による係合突起面の断面形状は、少なくとも、外力を加えて切り離そうとすれば切り離し可能ではあるが、簡単には連結保持が解除されない状態となるような係合形状面であれば、本発明においては特に限定されない。
【００３５】
本発明の請求項３に係る化粧材は、図２に示すように、前記化粧材Ｐの基材の厚さをｔ、基板表面及び裏面のそれぞれ凹溝部の底面厚さをｔ１  、基板表面及び裏面のそれぞれ凹溝部を構成する外端凸部の高さをｈとしたとき、それぞれｔ、ｔ１  、ｈの関係が、
ｔ＝２ｔ１  ＋ｈ
となっているものである。
【００３６】
図３は、本発明の化粧材Ｐの他の実施の形態を説明する側断面図であり、例えば、化粧材Ｐの裏面（例えば施工面と接する基材１裏面）に、粘着剤や接着剤による接着層２１を設けて、施工面に対して接着固定することができるようにしたものである。
【００３７】
化粧材用基材１は、図３に示すように、その基材１の構造内部に発泡剤による発泡層や、充填剤による充填層など基材内部構造部７を設けることができる。
【００３８】
図４は、化粧材用基材１と、その基材１表面にラミネートする化粧シート１１の一例を具体的に説明する側断面図である。
【００３９】
例えば、化粧材用基材１は、図４に示すように、合成樹脂を主体とする樹脂系基材１の一部若しくは全部に発泡剤を適用して、図４に示すように基材１の裏面側又は表面側又は中間層に対して層状に気泡８を形成するか、若しくは図示しないが、基材１の全体に分散状に気泡８を形成することにより、基材１に対して弾力性（クッション性）を付与するようにしてもよい。
【００４０】
例えば、化粧シート１１は、図４に示すように、着色基材シート１２の表面に印刷により化粧絵柄インキ層１３を施し、その着色基材シート１２の表面に化粧絵柄インキ層１３上より透明保護層１４（シート、フィルム、コーティング層）を形成し、その透明保護層１４上にトップコート層１５をコーティングした後、必要に応じて、その表面に適宜にエンボス部１６を形成したものである。
【００４１】
そして、図４に示すように、基材１の表面に化粧シート１１をラミネートすることにより、本発明の化粧材Ｐが完成する。
【００４２】
本発明の上記化粧材Ｐに用いる基材１としては、溶融樹脂材料を用いた樹脂成形体であってもよいし、加熱プレス手段を用いて樹脂材料をプレス成形する加熱プレス方式の樹脂成形体、あるいは切削手段を用いて樹脂材料を切削成形する樹脂成形体であってもよいが、その製造方法（成形方法）としては、射出成形方法、熱プレス成形方法、異形押出成形方法、切削加工方法、金型注型方法等により製造する。
【００４３】
本発明の化粧材Ｐとして、その化粧材Ｐに用いる基材１は、その基材１の成形材料として、主体材料となるポリプロピレンなどの熱可塑性樹脂材料を使用して製造することができ、あるいは化粧材Ｐとして、その化粧材Ｐに用いる基材１は、その基材１の成形材料として、主体材料となるポリプロピレンなどの熱可塑性樹脂材料の他に木粉等の木質系充填剤を成形材料として混在させて使用し製造することができる。
【００４４】
また、本発明の化粧材Ｐとして、その化粧材Ｐに用いる基材１は、その基材の全体若しくは一部が発泡している基材を用いることができ、また化粧材Ｐとして、その化粧材Ｐに用いる基材１の前記熱可塑性樹脂による成形材料としてポリオレフィン系樹脂を用いることができる。
【００４５】
本発明の上記化粧材Ｐの基材１は、熱可塑性樹脂による樹脂成形体であってもよいし、あるいは熱可塑性樹脂と木質系充填剤を含有する木質樹脂成形体であってもよく、その基材１（成形体）の表面には、前記樹脂成形体の熱可塑性樹脂と同系の熱可塑性樹脂又は該熱可塑性樹脂を主体とする化粧シート１１が積層されるか、あるいは前記木質樹脂成形体に含有される熱可塑性樹脂と同系の熱可塑性樹脂を主体とする化粧シートが積層されている。
【００４６】
また、前記基材１の木質樹脂成形体については、木質系充填剤を含有しない部分を一部に有するか又は有さずに、木質系充填剤を含有する部分を全体若しくは一部に少なくとも有するものである。
【００４７】
また、前記基材１の木質系充填剤の平均粒径は、１〜２００μｍであることが適当であり、また木質系充填剤を含有する部分における前記木質系充填剤の配合比率は、前記熱可塑性樹脂１００重量部に対して、１０〜５００重量部であることが適当である。
【００４８】
また、前記基材１に用いる熱可塑性樹脂材料は、例えば、ポリプロピレン、ポリエチレンなどポリオレフィン系樹脂が適当である。
【００４９】
また、本発明の化粧材Ｐの基材１は、熱可塑性樹脂による成形材料あるいは熱可塑性樹脂と木質系充填剤を含有した成形材料が用いられ、且つ発泡している樹脂発泡成形体あるいは木質樹脂発泡成形体の表面に、前記樹脂発泡成形体の熱可塑性樹脂と同系の熱可塑性樹脂又は該熱可塑性樹脂を主体とする化粧シートが積層されるか、あるいは前記木質樹脂発泡成形体に含有される熱可塑性樹脂と同系の熱可塑性樹脂を主体とする化粧シートが積層されている。
【００５０】
本発明化粧材Ｐの基材１としての前記木質樹脂発泡成形体は、木質系充填剤を含有する部分を少なくとも一部に有していてもよいし、全体に分散して木質系充填剤を含有していてもよい。
【００５１】
そして前記木質系充填剤の平均粒径は、１〜２００μｍが適当であり、また木質系充填剤を含有する部分における前記木質系充填剤の配合比率は、前記熱可塑性樹脂１００重量部に対して、１０〜５００重量部であることが適当である。
【００５２】
また、本発明化粧材Ｐの基材１の前記樹脂発泡成形体あるいは木質樹脂発泡成形体は、発泡している部分を一部に有していてもよいし、全体が発泡していてもよい。
【００５３】
また、本発明化粧材Ｐの基材１の前記樹脂発泡成形体あるいは木質樹脂発泡成形体の発泡倍率は、化粧材としての適正なクッション性の点から１．１〜１０．０倍程度が適当である。
【００５４】
また、本発明化粧材Ｐの基材１の前記樹脂発泡成形体あるいは木質樹脂発泡成形体に用いる前記熱可塑性樹脂は、ポリプロピレン、ポリエチレンなどポリオレフィン系樹脂が適当である。
【００５５】
前記化粧シート１１については、そのシート１１に化粧絵柄（絵柄インキ層１３）を施す場合には、木目意匠であることが好ましく、また、前記化粧シート１１は、全体に透明性を有するようにしてもよい。
【００５６】
本発明の化粧材は、１枚の化粧材（又は化粧板）の表面凹溝部内に、その上方より他の１枚の化粧材の裏面凹溝部を構成する外端凸部を嵌合でき、且つ前記１枚の化粧材の表面凹溝部を構成する外端凸部を、前記他の１枚の化粧材の裏面凹溝部内に密に差し込み嵌合して、且つ前記１枚の化粧材の外端凸部先端部における表面凹溝部側の内面と他の１枚の化粧材の外端凸部先端部における裏面凹溝部側の内面とにそれぞれ備えた係合突起により係止して連結でき、このようなジョイント形状の工夫により、床材をはじめ壁材、天井材などの内装施工性や施工能率を大幅に改善できる効果がある。
【００５７】
このように、本発明の化粧材は、その端部連結のための表裏の凹溝部と外端凸部との凹凸嵌合方向を、敷設面に対して垂直とした構造であるため、施工する際は、既に敷設面に並べた化粧材の側端嵌合部上に、次の化粧材の側端嵌合部を上から嵌め込むだけで順次施工でき、施工性や施工能率を大幅に改善できる効果がある。
【００５８】
また、本発明の化粧材は、凹凸嵌合方向が敷設面に対して垂直な構造であるため、施工後の年月経過により化粧材や敷設面の構造材などに傷が付いたり汚れたりした場合には、敷設されている化粧材の一部を簡単に外して交換でき、化粧材端部の隙間にヘラ等を差し入れて化粧材端部を持ち上げることにより嵌合を解除でき、交換したい化粧材だけを簡単に取り外して取り替えることができ、また、新たに交換する化粧材もその端部を上方から他の化粧材の端部に押し付けるだけで容易に嵌合連結することができ、施工性や施工能率を大幅に改善できる効果がある。
【００５９】
また、本発明の化粧材の嵌合部は、凹凸形状、厚みが工夫され、日常生活の使用では簡単には外れないように係合突起が設けられ、ロックできる構造になっているため、従来のような釘打ちによる固定は不要になり、施工性や施工能率を大幅に改善できる効果がある。
【００６０】
本発明の化粧材の基材には、主体材料として熱可塑性樹脂を用いるため、適度の弾力性が得られ、それによって嵌合固定及び取り外しが容易であり、しかも嵌合状態では使用時の外力等では簡単には嵌合が外れない。
【００６１】
また、本発明の化粧材の基材が、熱可塑性樹脂の押し出し成形加工（基材の外端凸部と凹溝部が形成された両端に沿う方向を押し出し方向とする）による成形体の場合には、基材の両端部の凹凸嵌合方向が敷設面に垂直方向であるために、基材の断面形状が点対称形状になり、従来の化粧材の基材のように凹凸嵌合方向が敷設面に平行方向の場合の非対称形状とは異なり、成形体に反りが発生し難く成形性及び生産性に優れた効果を発揮する。
【００６２】
また、本発明の化粧材における基材の嵌合部は、施工時は嵌合し易く、施工後の日常使用では簡単に外れず、また補修時の交換の際は、容易に取り外せることが重要であるが、その際の化粧基材に求められる物性としては、適度な曲げ応力と、復元性が必要となる。すなわち、嵌合時及び取り外す際に、ある一定の外力を加えた際、嵌合部が開き、外力を開放した際に再度閉まるといった所謂ヒンジ性を有することである。
【００６３】
適度な曲げ応力と復元性を得るには、基材に用いる樹脂にはポリオレフィン系の樹脂が好ましい。ポリスチレン、ポリエステル等の硬質の樹脂では、嵌合部を開くのに大きな力を要すると同時に、嵌合部が開き過ぎたりした場合の復元性に乏しく、外れてしまうことがあるが、本発明においては、基材を木粉等の木質充填剤を混在させた複合構造としたので、混在を量的若しくは位置的に調整することにより強度物性の調整ができ、例えば木粉の含有量を増加することにより曲げ応力を増加させることができる。
【００６４】
また、本発明においては、基材の樹脂を発泡させて樹脂／発泡（空隙）の複合構造とすることにより適度な強度物性を保持しながら曲げ応力を低減化することができる。
【００６５】
また、上記木質系充填剤を含有させた樹脂基材は、曲げ応力と復元性の他にも樹脂本来より切断する際の強度が低減されるため、万が一、補修交換時に嵌合部が開き難い場合でも、カッター等の刃先にて容易に切断して取り外すことができる。
【００６６】
さらに、基材に積層される化粧シートを嵌合部の凹凸部分まで延設して貼着することにより、基材全体の張力や平坦性を調整でき、これにより「ヒンジ性」を増強させる効果がある。
【００６７】
また、本発明の化粧材は、熱可塑性樹脂による樹脂成形体、あるいは熱可塑性樹脂と木質系充填剤を含有する木質樹脂成形体による基材、あるいはそれらの樹脂成形体であって且つ発泡している樹脂発泡成形体、あるいは木質樹脂発泡成形体による基材が使用されており、その基材表面には前記熱可塑性樹脂と同系の熱可塑性樹脂を主体とする化粧シートが積層されているので、切削や釘打ち等の加工性にも優れており、化粧シートによる高意匠性が得られる。
【００６８】
また、化粧材に木質樹脂成形体や木質樹脂発泡成形体による基材を用いた場合には、その基材表面に化粧シートを積層しなくても、化粧材に基材自体による視覚的及び触覚的な木質感を持たせることができる。
【００６９】
しかも、基材表面に積層する化粧シートに、基材の熱可塑性樹脂と同系の熱可塑性樹脂を主体とする化粧シートを用いた場合には、基材と化粧シートとの分離の必要がなく容易にリサイクルが可能になり、また、特に熱可塑性樹脂としてポリオレフィン系樹脂を使用したものにあっては、安価で加工性に優れ、しかも用途態様によりリサイクル利用に適さない廃材等は焼却処分も可能である。
【図面の簡単な説明】
【００７０】
【図１】（ａ）は本発明の化粧材の実施の形態を示す側面図。（ｂ）は本発明の化粧材の連結施工を説明する側面図。
【図２】本発明の化粧材の連結部分の拡大側面図。
【図３】本発明の化粧材の内部層構造の一例を説明する側面図。
【図４】本発明の化粧材における基材と化粧シートの層構造及びラミネートを説明する模式的側断面図。
【図５】従来の化粧材の連結施工を説明する側面図。
【符号の説明】
【００７１】
Ｐ…化粧材
１…基材（成形体）  １ａ…凹状部  １ｂ…凸状部  ２…表面凹溝部
３…外端凸部  ３ａ…係合突起  ４…裏面凹溝部  ５…外端凸部
５ａ…係合突起  ６…隙間  ７…基材内部構造部  ８…気泡
１１…化粧シート  １２…基材層  １３…化粧絵柄層  １４…透明保護層
１５…トップコート層  １６…エンボス部
【図１】
0004780063.tif 000002
【図２】
0004780063.tif 000003
【図３】
0004780063.tif 000004
【図４】
0004780063.tif 000005
【図５】
0004780063.tif 000006